(57)【要約】      （修正有）【課題】準備が不要で簡単に手間無く塗装対象物に塗装を施すことのできる塗装用具、塗装用キット、及び塗装用具の使用方法を提供する。【解決手段】本発明の塗装用具１０は、塗料Ｐが含浸した布１１と、水分を通さない素材からなる袋体１２とを備え、布は袋体の内部に密閉状態に収容される。塗装用具の数に応じた枚数の手袋と、塗装用具及び手袋とが収容された包装体とを備え、手袋は水分を通さない素材からなる塗装用キット。【選択図】図１
2020163329.tif 000002
【特許請求の範囲】
【請求項１】
塗料が含浸した布と、
水分を通さない素材からなる袋体とを備え、
前記布は前記袋体の内部に密閉状態に収容される塗装用具。
【請求項２】
請求項１に記載の塗装用具と、
前記塗装用具の数に応じた枚数の手袋と、
前記塗装用具及び前記手袋とが収容された包装体とを備え、
前記手袋は水分を通さない素材からなる塗装用キット。
【請求項３】
請求項１に記載の塗装用具の使用方法であって、
前記袋体を開封する工程と、
前記袋体から前記布を取り出す工程と、
前記布を用いて塗装対象物に塗装を施す工程と、
を含む使用方法。
【発明の詳細な説明】
【技術分野】
【０００１】
本発明は、塗装用具、塗装用キット、及び塗装用具の使用方法に関し、特に、準備が不要で簡単に塗装対象物に塗装を施すことのできる塗装用具、塗装用キット、及び塗装用具の使用方法に関するものである。
【背景技術】
【０００２】
近時、個人のユーザが自身で家具やインテリアなどを制作したり修理などを行う、いわゆる「ＤＩＹ」が広く行われている。個人ユーザが椅子やテーブルなどの塗装を行う場合、容器に詰められた塗料を購入し、刷毛や布等の道具を用意する。そして、道具に塗料を含ませて木材など塗装対象物に塗装を行う（例えば、非特許文献１）。
【先行技術文献】
【非特許文献】
【０００３】
【非特許文献１】株式会社大都「DIYで塗装をするなら知っておくと便利なコツ５つ」，２０１９年３月２７日検索，インターネット，https://makit.jp/03020/
【発明の概要】
【発明が解決しようとする課題】
【０００４】
しかし、個人ユーザが塗装を行う場合、以下のように、非常に手間のかかる準備が必要となる。例えば、個人ユーザは塗料や道具を自分で揃えなくてはならない。また、容器入りの塗料は保管中に含有成分の一部が底に沈むなど混合が不均一になるため、使用前に塗料をかき混ぜて含有成分を均一に混合する必要がある。さらに、丸缶入りの塗料を使用する際には、缶の蓋を開けるために缶オープナーなど専用の道具が必要となる。また、夏期などの気温が高い時期には塗料の粘度が高くなりやすいため、塗料を適切な粘度とするために水などの薄め液を加えて混合する作業が必要となる場合がある。また、刷毛を用いて塗装を行う場合には、水性、油性、ニスなどの塗料の種類に合う刷毛を選択する必要があり、刷毛や塗料に関する知識をそれほど有さないユーザには刷毛の選択が難しい。さらに、刷毛の使用前に、ユーザは毛を揉みほぐし抜け毛を取り除かなくてはならず、使用後に洗浄や乾燥を十分に行わなくてはならない。
【０００５】
本発明は前記問題に鑑みてなされたものであり、準備が不要で簡単に手間無く塗装対象物に塗装を施すことのできる塗装用具、塗装用キット、及び塗装用具の使用方法を提供することを目的とする。
【課題を解決するための手段】
【０００６】
本発明による塗装用具は、塗料が含浸した布と、水分を通さない素材からなる袋体とを備え、前記布は前記袋体の内部に密閉状態に収容される。
【０００７】
上記の構成によれば、ユーザは袋体を開封し、塗料が含浸した布を取り出し、この布を用いて塗装対象物に塗装を施す。このように、布には予め塗料を含浸させているので、袋体を開封し布を取り出すだけの動作で、簡単に手間無く塗装対象物に塗装を施すことができる。
【０００８】
本発明による塗装用キットは、上記に記載の塗装用具と、前記塗装用具の数に応じた枚数の手袋と、前記塗装用具及び前記手袋とが収容された包装体とを備え、前記手袋は水分を通さない素材からなる。
【０００９】
本発明を方法の観点から規定すると、上記に記載の塗装用具の使用方法は、前記袋体を開封する工程と、前記袋体から前記布を取り出す工程と、前記布を用いて塗装対象物に塗装を施す工程と、を含む。
【発明の効果】
【００１０】
本発明によれば、袋体を開封し塗料が含浸した布を取り出すだけで、簡単に手間無く塗装対象物に塗装を施すことができる。
【図面の簡単な説明】
【００１１】
【図１】本発明の一実施形態に係る塗装用具を示す図であり、（Ａ）は正面図、（Ｂ）は平面図、（Ｃ）は左側面図である。
【図２】図１のＡ−Ａ線から見た断面図である。
【図３】本発明の一実施形態に係る塗装用キットの説明のための斜視図である。
【発明を実施するための形態】
【００１２】
本発明の実施形態を図面を参照して説明する。図１、図２は、本発明の一実施形態の塗装用具１０を示す。塗装用具１０は、塗料Ｐが含浸した布１１と、水分を通さない素材からなる袋体１２とを備え、布１１は袋体１２の内部空間Ｓに密閉状態に収容されている。
【００１３】
布１１は、平面から見た形状が長方形状のシート状材からなり、シート状材が袋体１２に収容可能な大きさとなるように折り重ねられている。本実施形態では、縦方向の長さが１２ｃｍ、横方向の長さが２０ｃｍ、厚みが０．５ｃｍの布１１が、二つ折りにされた後、さらに二つ折りにされた状態で袋体１２に収容されている。なお、布１１の大きさは本実施形態に限定されるものではなく、折り重ねられて袋体１２に収容可能な大きさであればよい。また、布１１の折り重ねの回数も本実施形態に限定されず、三つ折りにされたものであってもよく、二つ折りまたは三つ折りされ、さらにそれを二つ折り、三つ折りにされたものであってもよい。また、１枚の布１１が折り重ねられずに袋体１２に収容されていてもよい。なお、布１１の広げられた形状や折り重ねられた形状は長方形状に限定されず、正方形状、三角形状、円形状、楕円形状、六角形状等、種々の形状とすることができる。
【００１４】
布１１の素材は、塗料Ｐを含浸させることができれば任意の素材を用いることができ、本実施形態では、不織布である。不織布の繊維素材としては、ナイロン、ビニロン、ポリエステル、レーヨン、アクリル、ポリエチレン、ポリプロピレン、アセテート、ポリ塩化ビニル、などの合成繊維、綿、麻、絹、紙などの天然繊維、合成繊維と天然繊維との混合繊維などを例示することができる。なお、布１１は不織布に限定されず、織布であってもよい。織布又は不織布の目付は、塗布対象物に塗装を施すことが可能な程度の目付であれば特に制限されないが、２０ｇ／ｍ２以上、１００ｇ／ｍ２以下が好ましい。
【００１５】
塗料Ｐは、布１１に含浸させることができるものであれば既知のものが用いられる。塗料Ｐは、水性塗料でもよく、油性塗料でもよい。また、オイルステイン、水性ステイン、溶剤ステインまたはアルコールステインなどのステイン系塗料でもよく、ウレタン、アクリル、ウレタンアクリレート、ラッカーまたはアミノアルキドを含む造膜系塗料であってもよい。本実施形態では、塗料Ｐとしてステイン系塗料が用いられており、塗料Ｐには、ステイン原液と、界面活性剤と、香料と、防腐剤とが含まれる。塗料Ｐの色は限定されず、茶、赤、黄、緑など、任意の色であってもよい。本実施形態では、袋体１２の内部空間Ｓに密封され、布１１に含浸させる塗料Ｐの量を７ｃｍ３としているが、塗料Ｐの量は袋体１２の内部空間Ｓの大きさや布１１の大きさに応じて適宜設定される。
【００１６】
袋体１２は、第１シート材１２Ａ及び第２シート材１２Ｂからなり、第１及び第２のシート材１２Ａ、１２Ｂは、平面から見た形状が長方形状であり、４つの角部が面取りされている。袋体１２は、第１シート材１２Ａ及び第２シート材１２Ｂを重ね合わせ、４つの側縁を熱接合（ヒートシール）してシール部分１２ａとすることによって扁平な袋状に形成されており、内部に布１１が密封される空間Ｓを有している。袋体１２の幅方向の両側縁であって、長さ方向の一端側であり内部空間Ｓに対応する位置には、それぞれ、切り欠き部１３、１３が形成されている。切り欠き部１３は、ユーザが袋体１２を引き裂いて布１１を取り出す際に、袋体１２を引っ張る力を集中させて開封を容易にするためのものである。
【００１７】
なお、袋体１２は、１枚のシート材を折り曲げて重ね合わせ、３つの側縁をヒートシールすることによって袋状に形成してもよい。また、第１シート材１２Ａ及び第２シート材１２Ｂの平面から見た形状は長方形状に限定されず、正方形状、三角形状、円形状、楕円形状、六角形状等、種々の形状とすることができる。袋体１２の内部空間Ｓには複数枚の布１１が密封されていてもよい。また袋体１２の内部空間Ｓが複数に区画され、各区画に１または複数枚の布１１が密封されていてもよい。
【００１８】
本実施形態では、袋体１２の長さ方向の長さを１３．５ｃｍ、幅方向の長さを９ｃｍとし、４つの側縁のシール部分１２ａの幅を１ｃｍとしているが、袋体１２の大きさやシール部分１２ａの幅はこれに限定されるものではなく、内部空間Ｓに布１１が収容できる大きさであればよい。
【００１９】
第１、第２の各シート材１２Ａ、１２Ｂに用いられる素材は、可撓性を有し、水分を通さない素材から構成される。素材が水分を通さない性質（非透水性）を有することにより塗料Ｐが袋体１２から漏れるのを防いでいる。また、袋体１２の第１、第２の各シート材１２Ａ、１２Ｂは、ユーザが内部空間Ｓに密封された塗料Ｐの色を外から視認できる程度に半透明または透明である。第１及び第２のシート材１２Ａ、１２Ｂの素材は、合成樹脂フィルムを用いている。合成樹脂フィルムに使用される樹脂は特に制限されるものではないが、熱可塑性樹脂を使用することが好ましく、熱可塑性樹脂としては、ポリエチレン、ポリプロピレン、ポリエステル、ポリアミド、ポリウレタン、ポリスチレン、ポリビニルアルコール、ポリ塩化ビニルなどを例示することができる。なお、第１、第２の各シート材１２Ａ、１２Ｂに用いられる素材は、布１１及び塗料Ｐにカビや細菌が発生するのを防ぐために非通気性の素材であってもよい。
【００２０】
塗装用具１０を製造するには、まず、第１シート材１２Ａ及び第２シート材１２Ｂを重ね合わせて３つの側縁をシールし、開口を有する袋状とする。そして、折り畳まれた布１１を開口から第１シート材１２Ａ及び第２シート材１２Ｂの間に挿入する。次に、開口から所定量の塗料Ｐを注入する。そして、開口をヒートシールして袋体１２とする。
【００２１】
塗装用具１０の使用方法は以下のとおりである。まず、ユーザは袋体１２を切り欠き部１３から開封する。そして、袋体１２から布１１を取り出し、布１１を開いて塗装対象物に塗装を施す。
【００２２】
このように、本実施形態の塗装用具１０及びその使用方法によれば、袋体１２を開封し塗料Ｐが含浸した布１１を取り出すだけで、簡単に手間無く塗装対象物に塗装を施すことができる。ユーザは、布１１などの塗装のための道具を予め用意する必要がない。また、使用後は布１１と袋体１２を廃棄すればよく、片付けが簡単である。
【００２３】
図３に本発明の他の実施形態を示す。本発明の塗装用キット２０は、図１の実施形態に示す塗装用具１０と、手袋２１と、塗装用具１０及び手袋２１とが収容された包装体２２とを備えている。
【００２４】
手袋２１は、可撓性を有しており、塗料Ｐが手に染み込むのを防ぐために非透水性を有する素材から構成されている。手袋２１の素材は合成樹脂フィルムを用いており、合成樹脂フィルムに使用される樹脂は特に制限されるものではないが、熱可塑性樹脂を使用することが好ましく、熱可塑性樹脂としては、ポリエチレン、ポリプロピレン、ポリエステル、ポリアミド、ポリウレタン、ポリスチレン、ポリビニルアルコール、ポリ塩化ビニルなどを例示することができる。
【００２５】
包装体２２は、蓋部２２ａを有する直方体形状の紙製の箱であり、箱内部に塗装用具１０と手袋２１とが収容される空間Ｓ１を有している。包装体２２は、内部に塗装用具１０と手袋２１とが収容される空間Ｓ１を有していればいずれの形状であってもよい。例えば、包装体２２は、立方体形状、三角柱形状、球形状等であってもよい。また、包装体２２は、２枚のシート材が重ね合わされることで形成された袋体であってもよく、袋体の平面からみた形状は任意の形状であってよい。また、包装体２２の素材は紙に限定されず、ポリエチレン、ポリプロピレン等を使用した合成樹脂製であってもよく、アルミニウム等の金属製であってもよい。
【００２６】
包装体２２には、任意の数の塗装用具１０と、塗装用具１０の数に応じた枚数の手袋２１とが収容されている。例えば、１つの塗装用具１０の使用の際に両手に手袋２１をはめることができるように、手袋２１の枚数は塗装用具１０の数の２倍に設定される。図３の実施形態では、５つの塗装用具１０と１０枚の手袋２１とが１つの包装体２２に収容されている。なお、手袋２１の枚数は上記に限定されず、片手のみにはめることを想定して塗装用具１０の数と同数としてもよい。
【００２７】
また、同じ包装体２２に複数個の塗装用具１０が収容される場合、各塗装用具１０の塗料Ｐの色は同じであってもよく、異なっていてもよい。
【００２８】
なお、図３においては説明のために包装体２２の蓋部２２ａを開けた状態を図示しているが、塗装用具１０及び手袋２１とが収容された状態で蓋部２２ａは閉じられた状態となる。
【００２９】
本実施形態の塗装用キット２０によれば、塗装用具１０と手袋２１とがセットになって包装体２２に収容されており、ユーザは包装体２２を開封して手袋２１を取り出して手にはめ、塗装用具１０を開封して布１１を取り出し、塗装対象物に塗装を施す。ユーザは、手袋２１を自分で用意する必要がなく、簡単に手間無く塗装対象物に塗装を施すことができる。
【００３０】
以上、本発明の一実施形態について説明したが、本発明は上記実施形態に限定されるものではなく、本発明の趣旨を逸脱しない限りにおいて種々の変更が可能である。
【符号の説明】
【００３１】
１０  塗装用具
１１  布
１２  袋体
１２ａ  シール部分
１３、１３  切り欠き部
１２Ａ、１２Ｂ  第１及び第２のシート材
２０  塗装用キット
２１  手袋
２２  包装体
Ｐ  塗料
Ｓ  袋体の内部空間
【図１】
2020163329.tif 000003
【図２】
2020163329.tif 000004
【図３】
2020163329.tif 000005